(57)【要約】【課題】封緘及び開封された履歴がわかり再使用時に宛先を制限しない封筒とシール及びその使用方法を提供する。【解決手段】宛先情報と差出人情報を読取るための窓を備えた封筒本体と複数のシートの積層によりなるフラップシールで構成される封筒であって、フラップシールには複数の切取り線が設けられる。封緘の際にフラップシール下層シートの剥離用台紙の一片が前記切取り線に沿って部分的且つ段階的に帯状に切り剥がれ、そのあとに前述帯状とほぼ同形の中層シートの粘着面が表れ封筒の裏面と密着し封緘される。開封の際には封筒裏面に密着された中層シートの帯状とほぼ同形のフラップシール上層シートの一片が部分的且つ段階的に切り剥がされ開封される。開封された跡には封筒に密着された中層シートが帯状の跡となって非粘着面が表側に残る。上記のような構成からなる封筒とフラップシール及び使用法により上記課題を解決する。【選択図】図１
2013173562.tif 000002
【特許請求の範囲】
【請求項１】
封筒本体とフラップシールからなり、封筒本体の表面に透明な窓を構成した封筒であって、封筒本体の裏面には封筒本体を封緘及び開封する部材フラップシールを構成する。フラップシールに設けた複数の切取り線に沿ってフラップシールが部分的且つ段階的に切り剥がされ、複数回の封緘及び開封を可能としたことを特徴とする封筒。
【請求項２】
請求項1に記載の封筒において複数回の封緘及び開封を可能とし、またその履歴が残ることを特徴とする封筒。
【請求項３】
請求項1に記載の封筒において複数回の封緘及び開封を可能とし、またその履歴が残ることを特徴とするフラップシール。
【請求項４】
請求項１から３何れかに記載の封筒とシールの組み合わせによる使用方法。
【発明の詳細な説明】
【技術分野】
【０００１】
本発明は封緘及び開封された履歴が判別可能な封筒であり、さらに使用回数を向上させる封筒及びシールの組み合わせによる使用方法に関するものである。
【背景技術】
【０００２】
環境への配慮や資源の有効利用推進といった点から、往復可能な封筒が提案されてきている。
【先行技術文献】
【特許文献】
【０００３】
【特許文献１】特開2008-302970
【特許文献２】特許2002-010966
【発明の概要】
【発明が解決しようとする課題】
【０００４】
しかしながら特許文献１〜２記載等の往復封筒では封筒の使用回数が１往復までに限定され、また送り先と返信先も制限されていた。本発明は１回２回と使用された後も封筒の基本的な機能を失わない上に、３回目以降も送り先を制限されることなく封筒を簡単に繰り返し使用できるように利便性を向上させた。
【０００５】
さらに、封筒が封緘あるいは開封された履歴を判別可能とし同時に封筒の残り使用回数も判別できるように利便性を向上させた。
【課題を解決するための手段】
【０００６】
本発明の封筒は表面の上部に宛先情報と差出人情報を読取る窓を備えた封筒本体と封筒本体の裏面の上部に備えたフラップシールからなり、封筒本体の上端部とフラップシールの上端部が接合されて構成される。
【０００７】
フラップシールは複数のシートを積層してなり、フラップシールを構成する各層のシートにはフラップシールの上端に対しほぼ平行線状に複数の切取り線が設けられる。
【０００８】
まず、フラップシールを構成する各層のシートにおける上面と下面の詳細について下層、中層、上層の順に説明する。
下層のシートは剥離台紙用のシートであって下面は粘着性のない面で上面は同下層シートより一階層上の中層シートの下面と一時的あるいは疑似的に貼り合わされる面である。中層シート下面は粘着面であって封緘の際に封筒本体の裏面と密着する面である。また同中層シート上面は中層シートより一階層上の上層シートの下面と一時的あるいは疑似的に粘着する面であり、さらに中層シートの上面に一時的あるいは疑似的に貼り合わさった上層シートが剥がされた後の再粘着を防止する加工が施される。
上層シートの下面は同上層シートより一階層下の中層シート上面と一時的あるいは疑似的に粘着する面であって、一度剥離された後は再粘着を防止する加工が施され、同上層シートの上面は粘着性のない面からなる。
【０００９】
次にフラップシールを構成するシートの各層に設けられた複数の切取り線について詳細を説明する。下層シートにはフラップシールの上端に対しほぼ平行線状にスリットの切取り線が複数設けられ、中層シートにも前記同様のほぼ平行線状にスリットの切取り線が複数設けられる。上層シートには前記同様のほぼ平行線状に近いミシン目の切取り線が複数設けられる。
【００１０】
さらにフラップシールの中層シートにおいては封緘される際には中層シートの下面の粘着面が封筒本体の裏面に密着され、開封される際には中層シートの上面の一時的あるいは疑似的な粘着面と中層シートの一階層上の上層シートから剥がされ分離するため、封筒本体側には中層シートの一部がスリットの切取り線に沿って切剥がされ帯状の跡となって残る。
【００１１】
上記のように構成される本発明によれば本封筒を封緘する際にまずフラップシートの下層シートである剥離台紙用シートの一片を切取り線に沿って帯状に切り剥がし、前記帯状に現れた中層シートの粘着面が封筒本体の裏面と密着し封緘する。開封する際にはフラップシールの上層シートの一片が切取り線に沿って帯状に容易にきれいに切り剥がされ開封される。そして封筒本体と密着している中層シートは帯状をなし封筒本体に残るため、本封筒を封緘及び開封する際において封筒本体が破損しない。
【００１２】
また、本封筒を受け取った人が本封筒を開封し封筒の中身を取り出した後は次の宛先と差出人情報が記載された紙を封筒本体の宛先情報と差出人情報が読取り窓から見えるように封入し同封物を入れて封緘し送付すればよいので送り先を制限されることもなく封筒として繰り返し再使用できる。
【００１３】
さらに、本封筒が開封された跡にはフラップシールの上層シートが封筒本体から切り剥がされてフラップシールの中層シートが封筒本体に残り封緘と開封された履歴と封筒があと何回使用できるかが判別できる。
【００１４】
以上本発明の封筒とシール及び使用方法を提供し上記課題を解決することができる。
【発明の効果】
【００１５】
本発明により、1回〜2回の使い捨てだった封筒が簡単に何回も再使用できるようになる。また封筒の開封跡が残るだけでなく開封された回数や残りの使用可能な回数も容易にわかるため資源が有効利用されるとともにエコ意識の向上も期待できる。
さらに封筒の最大使用回数の１回前までに出るゴミは剥がされるフラップシールの一片だけなので大幅なゴミの節減が実現できる。例えばグループ企業の支店間などを往き来する社内便などで本封筒を利用する際にはコストとゴミの削減が実現可能である。また、一枚の封筒を共有の資源としてみんなでシェアリングすることも可能となる。
【図面の簡単な説明】
【００１６】
【図１】本発明の一実施形態に係る封筒とフラップシールの概略を示す斜視図である。
【図２】本発明に係るフラップシールの一実施形態を示すもので（Ｃ）は表面、（Ｄ）は裏面を示す正面図である。
【図３】本発明に係る一実施形態の封筒の裏面を示すもので（Ｅ）はフラップシールを下した状態、（Ｆ）はフラップシールを上げた状態を示す正面図である。
【図４】本発明に係るフラップシールの一実施形態の構造を示す部分拡大図である。
【図５】本発明の一実施形態に係る封筒が3度目に開封される際を示す図である。
【図６】本発明の一実施形態に係る封筒において切手など証紙を貼付し送付する際の好適な例を示す図である。
【発明を実施するための形態】
【００１７】
以下、本発明を実施するための最良の形態を図面を引用しながら説明する。
【００１８】
図１（Ａ）は本発明に係る一実施形態の封筒を構成する封筒本体１０とフラップシール２０を分離した状態を示す。封筒本体１０の表面には宛先情報読取り窓１１と差出人情報読取り窓１２を備え、フラップシール２０の剥離台紙用シート４２の一片が図１（Ａ）のように切り剥がされ封筒本体の上端部１３とフラップシールの粘着面２２が接合され図１（Ｂ）の封筒となる。
【００１９】
図２は本発明に係るフラップシールの一実施形態を示すもので（Ｃ）は表面、（Ｄ）は裏面を示す正面図である。 同図（Ｃ）のようにフラップシール表面はミシン目状の切取り線２１がほぼ平行線状に複数設けられ、同図（Ｄ）のように裏面にはスリット状の切取り線２３がほぼ平行線状に複数設けられる。
【００２０】
図３は本発明の一実施形態に係るフラップシールの概略を示す部分拡大図である。
同図のようにフラップシール２０は複数のシートを積層してなり、下層シート４２は剥離台紙用シートであって下層シート４２の下面４２ｂは粘着性のない面であり下層シート４２の上面４２aは下層シート４２より一階層上の中層シート４１の下面４１ｂと一時的あるいは疑似的に貼り合わされる面である。中層シート４１の下面４１ｂは粘着面であって封緘の際に封筒本体１０の裏面と密着する面である。また中層シート４１の上面４１aは中層シート４１より一階層上の上層シート４０の下面４０ｂと一時的あるいは疑似的に粘着する面であり、さらに中層シート４１の上面４１aに一時的あるいは疑似的に貼り合わさった上層シート４０が剥離された後の再粘着を防止する面である。
上層シート４０の下面４０bは上層シートより一階層下の上面４１aと一時的あるいは疑似的に粘着する面であって、一度剥離された後は再粘着を防止する面であり、上層シートの上面４０aは粘着性のない面からなる。
【００２１】
図４は本発明に係る一実施形態の封筒の裏面を示すものである。（Ｅ）はフラップシールを上げた状態、（Ｆ）はフラップシールを下した状態を示す正面図である。
本封筒を封緘する際は同図（E）のようにフラップシール２０の下層シート４２の一片がスリット状の切取り線２３に沿って帯状に切剥がされ、中層シートの下面４１ｂと封筒本体の裏面を密着させるようにフラップシール２０を下して貼り付ければよい。
本封筒を開封する際は同図（F）のようにフラップシール２０の上層シート４０の一片がミシン目の切取り線２１に沿って帯状に切剥がせばよい。開封されるとフラップシール２０の中層シート４１の上面４１aが表れて封筒本体に密着されたまま跡として残る。
【００２２】
図５は本発明の一実施形態に係る封筒が3度目に開封される際を示す図である。
例えば同図のように４３のように中層シート４１の上面４１aに文言として開封された跡を残すことでも容易に開封された履歴が判別できる。また、フラップシール２０の上層シート４０の上面４０aに４４のような数字を記すことでも封筒の残り使用回数も判別することができる。
【００２３】
なお、本願発明は、上述した実施形態に限定されるものでなく、その技術思想の同一及び等価に及ぶ範囲において上述した実施形態への様々な変形、追加、置換、拡大、縮小等を許容するものである。
例えば封筒の素材、大きさ、形状、使用回数及びフラップシールとの接合方法いったものなどを限定するものではなく、またフラップシールも大きさ、形状、使用回数、切取り線の入れた方や切取り線の数、そしてフラップシールを構成するシートの層数を限定するものではないことを注記する。
【実施例】
【００２４】
図6は本発明の一実施形態に係る封筒において切手等の証紙を貼付し使用する際の一実施例を示す図である。
本封筒に切手５１を貼付し使用する際には例えば市販されている繰り返し再剥離可能なシール５０を同図のように上下に少しずつずらして重ねあわせ貼付し、前記再剥離可能なシール50の最上面に貼付されたシールの上に切手５１を貼付することにより消印５２が切手５１と同シール上に押され、その切手と消印がついている再剥離可能なシール５０を同図のように例えば左下の角から剥がせば消印５２が切手５１も一緒に剥がれるため封筒には破損や汚損されることがないため本封筒を受領した人が再使用しやすい。同図（G）や（H）のように様々な封筒サイズで利用可能である。
【００２５】
以上説明したように本実施形態によれば従来の封筒において再使用の妨げとなっていた要因である封筒本体への宛先・差出人の記載、切手などの証紙貼付や消印、開封の際の封筒本体の破損などを防止できるため、誰でも簡単に封筒を再使用することができる。さらに封筒本体の裏面の一部には開封履歴が残りながら残りの使用回数もわかる上に一枚の封筒をエコリレーを繋ぐバトンのようにシェアリングすることも可能となる。このような紙資源の有効活用によりコストとゴミの削減や森林保護の役に立つ。
【産業上の利用可能性】
【００２６】
従来の封筒の持つ利点を活かしつつ、さらに利便性と耐久性を向上させ、繰り返し何回も再使用できる封筒とシール及びその使用方法を提供する。
【００２７】
さらには封筒がより不特定多数の人の間を往き来される可能性が高いことから例えば封筒の表面やシール部分に企業広告を掲載するなど新たな広告・宣伝媒体として利用することや実用的なノベルティとして活用することも可能である。
また、開封後もまた封筒として再使用できることからDMの開封率を上げる封筒として活用することも可能である。
【００２８】
また、開封履歴がわかることから機密文書などを限られた人だけの回覧用途などでの利用も可能である。
【００２９】
したがって、本願は文具産業をはじめ出版・教育・広告・製造業などで広く利用可能性を有している。
【符号の説明】
【００３０】
10    封筒本体
11    宛先情報読取り窓
12    差出人情報読取り窓
13    封筒本体の上端部
20    フラップシール
21    ミシン目状の切取り線
22    フラップシールにおける封筒本体のフラップ13との接合部
23    スリット状の切取り線
40    フラップシール２０の上層シート
40a  フラップシール２０の上層シートの上面
40b  フラップシール２０の上層シートの下面
41    フラップシール２０の中層シート
41a  フラップシール２０の中層シートの上面
41b   フラップシール２０の中層シートの下面
42    フラップシール２０の下層の剥離台紙用シート
42a  フラップシール２０の下層の剥離台紙用シートの上面
42b  フラップシール２０の下層の剥離台紙用シートの下面
43      開封された跡を示す一例
44      封緘と開封ができる回数を示す一例
50    再剥離可能なシール  
51    切手
52    切手消印
60    定型サイズ内の封筒
【図１】
2013173562.tif 000003
【図２】
2013173562.tif 000004
【図３】
2013173562.tif 000005
【図４】
2013173562.tif 000006
【図５】
2013173562.tif 000007
【図６】
2013173562.tif 000008